(57)【要約】【課題】スラット間の隙間を通じての通気を好適に行うことができるシャッタ装置を提供する。【解決手段】建物１０の外壁１３には窓部１５が形成されており、窓部１５にはサッシ戸２１が設けられている。窓部１５においてサッシ戸２１の屋外側にはシャッタ装置３１が設けられている。シャッタ装置３１は、シャッタカーテン３２とシャッタケース３３とを有しており、シャッタカーテン３２は開閉可能な複数のスラット３９を有している。シャッタケース３３には、引き出されたシャッタカーテン３２の屋内側の中間領域Ｓに空気を吹き出す第１送風装置５１が設けられている。スラット３９が通気状態にある場合に第１送風装置５１から空気が吹き出されると、その空気が中間領域Ｓを通じてスラット３９間の隙間から屋外へ流れ出る際に、スラット３９の付着物を吹き飛ばすことができる。【選択図】図１
2011185018.tif 000002
【特許請求の範囲】
【請求項１】
建物の外壁に形成された建物開口部に対して設けられたシャッタ装置であって、
シャッタケースに収納可能に設けられ、複数のスラットを有し且つ各スラットの傾斜角度が調整可能であるシャッタカーテンと、
前記シャッタカーテンの屋外側面及び屋内側面のうち少なくとも一方を対象として、前記複数のスラットに付着した付着物を除去する除去手段と、
を備えていることを特徴とするシャッタ装置。
【請求項２】
前記建物開口部には、該建物開口部を開閉する開閉体が設けられており、
前記シャッタカーテンは、前記開閉体の屋外側において該開閉体に対向する位置に引き出されることで引き出し状態となり、
前記除去手段として、前記建物開口部を閉鎖した状態の前記開閉体と前記引き出し状態にある前記シャッタカーテンとにより挟まれる空間である中間領域に空気を吹き出す送風手段が設けられていることを特徴とする請求項１に記載のシャッタ装置。
【請求項３】
前記開閉体により前記建物開口部が閉鎖された状態にあることを判定する手段と、
前記建物開口部が閉鎖された状態にあると判定された場合に、前記送風手段から前記中間領域に空気を吹き出させる手段と、
を備えていることを特徴とする請求項２に記載のシャッタ装置。
【請求項４】
前記送風手段は、前記シャッタケースの出入口に設けられており、空気の吹き出し状態を、前記中間領域に向けて空気を吹き出す第１吹出状態と、前記シャッタケースの出入口に向けて空気を吹き出す第２吹出状態とに切り替える切替手段を有していることを特徴とする請求項２又は３に記載のシャッタ装置。
【請求項５】
前記シャッタカーテンが前記引き出し状態にあり且つ前記スラットが開放状態にあるか否かを判定する手段と、
前記シャッタカーテンが前記引き出し状態にあり且つ前記スラットが開放状態にあると判定された場合に前記送風手段が前記第１吹出状態となるように前記切替手段を制御する手段と、
を備えていることを特徴とする請求項４に記載のシャッタ装置。
【請求項６】
前記シャッタカーテンが前記シャッタケースに収納される収納動作中であることを判定する手段と、
前記シャッタカーテンが前記収納動作中であると判定された場合に前記送風手段が前記第２吹出状態となるように前記切替手段を制御する手段と、
を備えていることを特徴とする請求項４又は５に記載のシャッタ装置。
【請求項７】
前記シャッタカーテンが前記引き出し状態にある場合に、前記複数のスラットのうち前記シャッタケースの付近のスラットを開放状態とし且つ他のスラットを非開放状態とする手段を備え、
前記送風手段は、前記シャッタケースに取り付けられていることを特徴とする請求項２乃至６のいずれか１項に記載のシャッタ装置。
【請求項８】
前記除去手段として、前記シャッタケースの出入口には、前記シャッタカーテンの収納時に該シャッタカーテンに接触して前記付着物を除去する清掃手段が設けられていることを特徴とする請求項１乃至７のいずれか１項に記載のシャッタ装置。
【発明の詳細な説明】
【技術分野】
【０００１】
本発明は、シャッタ装置に関するものである。
【背景技術】
【０００２】
住宅等の建物において、外壁に形成された窓等の開口部にシャッタ装置が設けられていることがある。例えば特許文献１に記載されているシャッタ装置は、回動可能な複数のスラットが並設されたシャッタカーテンを有し、各スラットは回動することで開放姿勢と閉鎖姿勢とに変更可能となっている。このシャッタ装置によれば、シャッタカーテンが閉鎖状態にある場合でもスラットを開放姿勢に変更することにより、開口部は採光や通風、視認等の少なくとも１つの機能を果たすことになる。
【先行技術文献】
【特許文献】
【０００３】
【特許文献１】特開２００９−４６９０６号公報
【発明の概要】
【発明が解決しようとする課題】
【０００４】
しかしながら、シャッタ装置においてシャッタカーテンのスラットが回動可能となっている構成では、スラットが開放状態にある場合にスラット間の隙間を通じて通気が行われると、スラットの板面に付着しているゴミや埃が外気とともに建物内空間に流れ込むことが懸念される。
【０００５】
本発明は、スラット間の隙間を通じての通気を好適に行うことができるシャッタ装置を提供することを主たる目的とする。
【課題を解決するための手段】
【０００６】
上記課題を解決するために、第１の発明のシャッタ装置は、建物の外壁に形成された建物開口部に対して設けられたシャッタ装置であって、シャッタケースに収納可能に設けられ、複数のスラットを有し且つ各スラットの傾斜角度が調整可能であるシャッタカーテンと、前記シャッタカーテンの屋外側面及び屋内側面のうち少なくとも一方を対象として、前記複数のスラットに付着した付着物を除去する除去手段とを備えていることを特徴とする。
【０００７】
第１の発明によれば、シャッタカーテンの屋外側面や屋内側面においてスラットに付着したゴミや埃等の付着物が除去される。このため、スラットの傾斜角度が隣り合うスラット間に隙間が生じる角度となっている場合にその隙間を通じて建物内空間の通気が行われても、外気とともに付着物が建物内空間に流れ込むという不都合を抑制できる。したがって、スラット間の隙間を通じての通気を好適に行うことができる。
【０００８】
第２の発明では、前記建物開口部には、該建物開口部を開閉する開閉体が設けられており、前記シャッタカーテンは、前記開閉体の屋外側において該開閉体に対向する位置に引き出されることで引き出し状態となり、前記除去手段として、前記建物開口部を閉鎖した状態の前記開閉体と前記引き出し状態にある前記シャッタカーテンとにより挟まれる空間である中間領域に空気を吹き出す送風手段が設けられている。
【０００９】
第２の発明によれば、送風手段から中間領域に向けて空気が吹き出されるため、シャッタカーテンにスラットに付着している付着物を屋外側に吹き飛ばすことができる。ここで、例えばシャッタケースの出入口にブラシ等の清掃手段が設けられた構成では、スラットから付着物を除去するにはシャッタカーテンを収納動作させる必要があるが、本発明では、シャッタカーテンを収納動作させなくても、引き出し状態としたままのシャッタカーテンの全体についてスラットから付着物を除去することができる。
【００１０】
第３の発明では、前記開閉体により前記建物開口部が閉鎖された状態にあることを判定する手段と、前記建物開口部が閉鎖された状態にあると判定された場合に、前記送風手段から前記中間領域に空気を吹き出させる手段とを備えている。
【００１１】
第３の発明によれば、建物開口部が開閉体により閉鎖させた状態にある場合に送風手段から中間領域に空気が吹き出されるため、スラットから吹き飛ばされた付着物が建物開口部から建物内空間に入り込むことを回避できる。また、この場合、建物開口部が開放された状態にある場合に比べてスラット間の隙間から屋外側に流れ出る空気の量が多くなることにより、スラットから付着物を除去する除去効率を高めることができる。
【００１２】
第４の発明では、前記送風手段は、前記シャッタケースの出入口に設けられており、空気の吹き出し状態を、前記中間領域に向けて空気を吹き出す第１吹出状態と、前記シャッタケースの出入口に向けて空気を吹き出す第２吹出状態とに切り替える切替手段を有している。
【００１３】
第４の発明によれば、送風手段が第１吹出状態と第２吹出状態とに切り替えられるため、シャッタカーテンにおいて付着物が吹き飛ばされる部分をシャッタカーテンの引き出し状況に合わせて適宜選択することができる。したがって、シャッタカーテンから付着物を効率良く吹き飛ばすことができる。
【００１４】
第５の発明では、前記シャッタカーテンが前記引き出し状態にあり且つ前記スラットが開放状態にあるか否かを判定する手段と、前記シャッタカーテンが前記引き出し状態にあり且つ前記スラットが開放状態にあると判定された場合に前記送風手段が前記第１吹出状態となるように前記切替手段を制御する手段とを備えている。
【００１５】
第５の発明によれば、シャッタカーテンが引き出し状態にあり且つスラットが開放状態にある場合に、第１吹出状態にある送風手段から中間領域に向けて空気が吹き出される。この場合、送風手段から吹き出された空気がスラット間の隙間を通じて屋外側に流れ出るため、シャッタカーテンから付着物を吹き飛ばしつつその付着物を空気とともに屋外側へ放出することができる。したがって、シャッタカーテンから付着物を除去しつつ、その付着物が中間領域にとどまることを抑制できる。
【００１６】
第６の発明では、前記シャッタカーテンが前記シャッタケースに収納される収納動作中であることを判定する手段と、前記シャッタカーテンが前記収納動作中であると判定された場合に前記送風手段が前記第２吹出状態となるように前記切替手段を制御する手段とを備えている。
【００１７】
第６の発明によれば、シャッタカーテンが収納動作中である場合に、シャッタケースの出入口において第２吹出状態にある送風手段からシャッタカーテンに向けて空気が吹き出される。この場合、送風手段から至近距離でシャッタカーテンに空気が吹き付けられるため、付着物を吹き飛ばす効果を高めることができ、さらに、シャッタケースの出入口を通過するシャッタカーテンの全体から付着物を除去することができる。また、シャッタカーテンが収納動作に伴って振動していれば、その振動によってシャッタカーテンから離間した付着物を屋外側へ吹き飛ばすことができる。
【００１８】
第７の発明では、前記シャッタカーテンが前記引き出し状態にある場合に、前記複数のスラットのうち前記シャッタケースの付近のスラットを開放状態とし且つ他のスラットを非開放状態とする手段を備え、前記送風手段は、前記シャッタケースに取り付けられている。
【００１９】
第７の発明によれば、シャッタカーテンのうち一部のスラットだけを開放状態とすることが可能な構成において、開放状態にあるスラットの近くから空気を吹き出すことができる。したがって、開放状態にあるスラットから付着物を吹き飛ばす効果を高めることができる。
【００２０】
第８の発明では、前記除去手段として、前記シャッタケースの出入口には、前記シャッタカーテンの収納時に該シャッタカーテンに接触して前記付着物を除去する清掃手段が設けられている。
【００２１】
第８の発明によれば、シャッタカーテンの収納動作に伴って清掃手段により付着物を直接的に除去することができる。
【００２２】
なお、シャッタカーテンの収納時にブラシ等の清掃手段により付着物が直接的に除去される構成では、除去された付着物が清掃手段に蓄積され、それによって清掃手段の付着物除去能力が低下することや、シャッタカーテンの収納動作に支障が生じることが懸念される。この場合、除去手段として清掃手段及び送風手段の両方が設けられている構成とすれば、シャッタカーテンが引き出し状態にある場合に送風手段により付着物を吹き飛ばしておくことで、シャッタカーテンの収納時に清掃手段により直接的に除去する付着物の量を低減させることができる。つまり、清掃手段における付着物の蓄積量を低減させることができる。したがって、清掃手段の付着物除去能力が低下することや、シャッタカーテンの収納動作に支障が生じることを抑制できる。
【図面の簡単な説明】
【００２３】
【図１】本実施形態における建物のシャッタ装置周辺の概略断面図。
【図２】シャッタ装置の正面図。
【図３】シャッタケース周辺の構成を示す断面図。
【図４】シャッタカーテン付着物除去処理の処理手順を示すフローチャート。
【図５】シャッタカーテン周辺における空気の流れについて説明するための図。
【発明を実施するための形態】
【００２４】
以下、本発明を具体化した一実施形態について図面を参照しつつ説明する。本実施形態では、本発明をシャッタ装置が設けられた建物にて具体化している。図１は建物１０におけるシャッタ装置３１周辺の概略断面図、図２はシャッタ装置３１の正面図である。なお、図１はシャッタ装置３１に関する電気的な構成を示すブロック図を含んでおり、図２はシャッタ装置３１を屋外側から見た図である。
【００２５】
図１に示すように、住宅等の建物１０には建物内空間としての居室１２が設けられている。居室１２はリビングや居間等の居住空間となっている。建物１０の外壁１３のうち居室１２と屋外とを仕切る部分には、建物開口部としての窓部１５が形成されている。窓部１５には、窓部１５を開閉する開閉体としてサッシ戸２１が設けられている。窓部１５には上下一対のサッシ戸レール２２が設けられており、サッシ戸２１はサッシ戸レール２２に沿って水平方向にスライド移動する。サッシ戸２１は例えばガラス戸となっており、スライド移動することにより窓部１５を開閉する。
【００２６】
窓部１５においてサッシ戸２１の屋外側にはシャッタ装置３１が設けられている。シャッタ装置３１は、昇降するシャッタカーテン３２と、シャッタカーテン３２を収納するシャッタケース３３とを有している。シャッタケース３３は横長箱状に形成されており、窓部１５の上方において外壁１３の屋外面に取り付けられている。シャッタケース３３の内部には、シャッタカーテン３２を巻き取る巻取ドラム３４が設けられている。巻取ドラム３４は水平方向に延びる回転軸を中心として回転可能となっており、回転することでシャッタカーテン３２の巻き取り及び繰り出しを行う。シャッタカーテン３２は巻取ドラム３４に巻き取られることでシャッタケース３３に収納され、巻取ドラム３４から繰り出されることでシャッタケース３３から引き出される。
【００２７】
シャッタケース３３には、シャッタカーテン３２を出入りさせるためのカーテン出入口３５が設けられている（図３参照）。カーテン出入口３５はシャッタケース３３の下面に形成されており、シャッタケース３３の内部空間を下方に向けて開放している。
【００２８】
図２に示すように、シャッタケース３３の下方には左右一対のシャッタレール３７が設けられている。シャッタレール３７は上下方向に延びており、シャッタカーテン３２はシャッタレール３７に沿って上下方向に昇降する。シャッタレール３７の下方には、シャッタカーテン３２の下端と平行に延びているシャッタ受部３８が設けられている。シャッタ受部３８は板面を上下方向に向けた板部材となっており、その板面はシャッタケース３３の下面と対向している。なお、シャッタレール３７及びシャッタ受部３８は外壁１３から屋外側へ突出した状態となっている。
【００２９】
シャッタカーテン３２はスラット３９を複数有するスラット式シャッタカーテンとなっている。スラット３９は横長形状に形成されており、シャッタカーテン３２において上下に並べられている。この場合、複数のスラット３９はシャッタカーテン３２の移動方向に沿って並んでおり、各スラット３９が一体的に上下方向にスライド移動することによりシャッタカーテン３２が昇降することになる。
【００３０】
スラット３９は、鉛直方向又は水平方向を基準とした傾斜角度が調整可能となっている。具体的には、シャッタ装置３１には、各スラット３９の傾斜角度を調整するための開閉ガイド機構４１が設けられている。開閉ガイド機構４１は、スラット３９の端部に係合可能な係合リンク部４２を有しており、係合リンク部４２は全てのスラット３９と係合可能になっている。開閉ガイド機構４１は、係合リンク部４２を各スラット３９に対して係合及び解除させる機能と、係合リンク部４２をスラット３９と係合させた場合にその係合リンク部４２を介してスラット３９を回動させる機能とを有しており、スラット３９を回動させることでスラット３９の傾斜角度を調整する。開閉ガイド機構４１は、スラット３９ごとに個別に傾斜角度を調整することが可能となっている。なお、開閉ガイド機構４１はシャッタレール３７の内部に設けられている。
【００３１】
スラット３９は、その長手方向に延びる回動軸を中心として回動可能となっている。回動軸は係合リンク部４２と係合する部分を含んで水平方向に延びている。隣り合うスラット３９は、それぞれが鉛直方向に立った状態となることで当接又は連結される。つまり、上のスラット３９の下端と下のスラット３９の上端とが当接又は連結される。この場合、隣り合うスラット３９間には隙間が形成されておらず、その隙間を空気が通らないようになっている。これに対して、スラット３９が鉛直方向に対して傾斜している場合、隣り合うスラット３９間に隙間が形成され、その隙間を空気が通ることが可能となる。したがって、スラット３９は、鉛直方向に延びている場合に非通気状態にあり、非通気状態から鉛直方向に対して傾斜することで通気状態に移行することになる。ちなみに、スラット３９は、回動することでスラット３９間の隙間を開閉することになる。
【００３２】
なお、隣り合うスラット３９は図示しない連結部材により上下で連結されている。連結部材はシャッタカーテン３２の昇降やスラット３９の回動に際して支障とならない位置に設けられている。例えば、連結部材は、シャッタレール３７の内部に収納されるようにスラット３９の側方に設けられている。
【００３３】
シャッタ装置３１には、巻取ドラム３４を回転させる巻取駆動部４５と、スラット３９を回動させるスラット駆動部４６とが設けられている。巻取駆動部４５及びスラット駆動部４６はそれぞれ電気モータを含んで構成されており、巻取駆動部４５は駆動することでシャッタカーテン３２を昇降させ、スラット駆動部４６は駆動することで各スラット３９の傾斜角度を個別に変えることが可能となっている。
【００３４】
ここで、スラット３９が開閉可能であるシャッタカーテン３２においては、スラット３９が開閉不能な（例えば鉛直方向に立った状態で保持される）シャッタカーテン３２に比べて、スラット３９の板面が上方を向いている時などにスラット３９にゴミや埃等が付着しやすいと考えられる。そこで、本実施形態では、シャッタカーテン３２に対して空気を吹き付けることにより、シャッタカーテン３２に付着したゴミや埃等の付着物を除去するようにしている。
【００３５】
シャッタカーテン３２に付着した付着物を除去する構成について図３を参照しつつ説明する。図３は、シャッタケース３３周辺の構成を示す断面図である。
【００３６】
図３に示すように、シャッタケース３３には、カーテン出入口３５の居室１２側において空気を吹き出す送風手段としての第１送風装置５１が設けられている。第１送風装置５１は、電気モータを含んで構成された送風ファンとなっており、シャッタケース３３の下端部においてカーテン出入口３５の居室１２側に配置されている。第１送風装置５１は、下方に向けて空気を吹き出す下方吹出口５２と、側方のうち屋外側に向けて空気を吹き出す外方吹出口５３とを有している。下方吹出口５２はシャッタケース３３の下面に露出しており、外方吹出口５３はカーテン出入口３５に露出している。この場合、外方吹出口５３は、カーテン出入口３５においてシャッタカーテン３２の居室１２側面と対向している。
【００３７】
ここで、サッシ戸２１が窓部１５を閉鎖した状態にあり且つシャッタカーテン３２がサッシ戸２１と対向する位置まで引き出された引き出し状態にある場合に、それらサッシ戸２１とシャッタカーテン３２との間に存在する空間を中間領域Ｓとすれば、第１送風装置５１は中間領域Ｓの上方に配置されていることになる。この場合、第１送風装置５１の下方吹出口５２から下方に向けて吹き出された空気は中間領域Ｓに送り込まれ、外方吹出口５３から側方に向けて吹き出された空気は中間領域Ｓの上方又は上部においてシャッタカーテン３２の居室１２側面に吹き付けられる。また、この場合、中間領域Ｓは、シャッタカーテン３２及びサッシ戸２１に加えて、シャッタケース３３、シャッタレール３７及びシャッタ受部３８により周囲が囲まれた空間となっている。
【００３８】
第１送風装置５１は、下方吹出口５２及び外方吹出口５３からの空気の吹き出しを個別に実行及び停止させる機能を有している。具体的には、下方吹出口５２及び外方吹出口５３には複数のフィンを有するルーバがそれぞれ設けられており、下方吹出口５２及び外方吹出口５３においてはフィンに沿って空気が吹き出される。フィンの角度は下方吹出口５２及び外方吹出口５３ごとに調整可能となっている。下方吹出口５２においてはフィンの角度が、空気がシャッタ受部３８に向けて鉛直下方に吹き出される角度、空気がシャッタカーテン３２のうち上部のスラット３９に向けて斜め下方に吹き出される角度、下方吹出口５２から空気が吹き出されないように下方吹出口５２を閉鎖する角度のいずれかとされる。外方吹出口５３においてはフィンの角度が、空気が屋外側へ向けて水平方向に吹き出される角度、外方吹出口５３から空気が吹き出されないように外方吹出口５３を閉鎖する角度のいずれかとされる。
【００３９】
シャッタケース３３には、第１送風装置５１に加えて、カーテン出入口３５の屋外側において空気を吹き出す第２送風装置５５が設けられている。第２送風装置５５は、電気モータを含んで構成された送風ファンとなっており、シャッタケース３３においてカーテン出入口３５の屋外側に配置されている。第２送風装置５５は、側方のうち居室１２側に向けて空気を吹き出す内方吹出口５６を有している。内方吹出口５６はカーテン出入口３５に露出しており、カーテン出入口３５においてシャッタカーテン３２の屋外側面と対向している。
【００４０】
なお、第２送風装置５５においては、内方吹出口５６からの空気の吹き出し及び停止は電気モータの駆動及び停止により行われる構成となっているが、第１送風装置５１の外方吹出口５３と同様に、空気の吹き出し及び停止が可能なルーバが内方吹出口５６に設けられていてもよい。
【００４１】
図２に示すように、第１送風装置５１及び第２送風装置５５は、シャッタケース３３の長手方向に沿ってその下面側に複数並べられている。この場合、第１送風装置５１の下方吹出口５２からは、鉛直下方を基準としてスラット３９の両端側にそれぞれ所定角度（例えば３０度）の間で扇状に広がるように空気が吹き出される。また、第１送風装置５１の外方吹出口５３及び第２送風装置５５の内方吹出口５６からは、水平方向に扇状に広がるように空気が吹き出される。したがって、第１送風装置５１及び第２送風装置５５からはシャッタカーテン３２の全体に向けて空気が吹き出される。
【００４２】
次に、シャッタ装置３１に関する電気的な構成について図１を参照しつつ説明する。
【００４３】
図１において、制御手段としてのコントローラ６１は、ＣＰＵや各種メモリ等からなるマイクロコンピュータを含んで構成されている。コントローラ６１は、建物１０において例えば居室１２の壁面に取り付けられており、シャッタ装置３１の動作に関する情報を記憶する記憶部６２を有している。
【００４４】
コントローラ６１には、サッシ戸２１が窓部１５を閉鎖した状態にあることを検出するサッシ戸センサ６５と、屋外において風量を検出する風量センサ６７と、屋外において花粉を検出する花粉センサ６８と、居室１２において人を検出する人感センサ６９とが接続されており、各センサ６５，６７〜６９はコントローラ６１に対して検出信号を出力する。
【００４５】
サッシ戸センサ６５は、サッシ戸２１に設けられており、サッシ戸２１の端部がサッシ枠に接触したことを検出する接触センサとなっている。したがって、サッシ戸センサ６５は、サッシ戸２１の端部がサッシ枠に接触していることをサッシ戸２１が窓部１５を閉鎖した状態にあることとして検出する。
【００４６】
風量センサ６７及び花粉センサ６８は、例えば外壁１３の屋外面に取り付けられている。花粉センサ６８は、屋外空間を浮遊する粒子としての花粉の量を検出するセンサとなっている。人感センサ６９は居室１２において外壁１３の屋内面に対して取り付けられている。
【００４７】
コントローラ６１には、シャッタ装置３１の巻取駆動部４５、スラット駆動部４６、第１送風装置５１、第２送風装置５５が接続されており、コントローラ６１は指令信号を出力することでこれらアクチュエータの動作制御を行う。
【００４８】
コントローラ６１には、人により入力操作が行われる操作装置７１が接続されている。操作装置７１は建物１０内に設けられており、例えば居室１２の壁面において人が操作可能な位置に取り付けられている。操作装置７１は、シャッタカーテン３２を昇降させるための操作や、全て又は一部のスラット３９を開閉させるための操作などが入力操作としての行われる構成となっており、操作内容を示す信号をコントローラ６１に対して出力し、コントローラ６１は操作装置７１からの信号を操作情報として記憶部６２に記憶させる。
【００４９】
コントローラ６１は、記憶部６２に記憶されている情報や操作装置７１への入力操作に基づいてシャッタカーテン３２やスラット３９に開閉動作を行わせる。特に、シャッタカーテン３２が閉鎖状態にある場合、スラット３９については、都度の動作モードに合わせて開閉動作を行わせる。スラット３９の動作モードには、閉鎖モード、通気モード、防犯モードが含まれており、閉鎖モードの場合、コントローラ６１は全てのスラット３９を非通気状態とし、通気モードの場合、全てのスラット３９を通気状態とする。
【００５０】
また、防犯モードの場合、一部のスラット３９を通気状態とするとともにその他のスラット３９を非通気状態とする。ここで、通気状態とされるスラット３９は、シャッタカーテン３２における上部の複数のスラット３９とされている。この場合、通気状態にあるスラット３９が高い位置にあって手が届きにくいため、仮に不審者が通気状態にあるスラット３９間の隙間から手や棒などを屋外から居室１２に向けて差し込もうとしても、それが困難になっている。本実施形態においては、シャッタケース３３が窓部１５の上方に配置されているため、防犯モードにおいて通気状態とされるスラット３９はシャッタケース３３の付近に存在していることになる。
【００５１】
次に、シャッタカーテン３２に付着した付着物を除去するシャッタカーテン付着物除去処理について図４のフローチャートを参照しつつ説明する。なお、付着物除去処理は所定周期で繰り返し実行される。
【００５２】
図４において、ステップＳ１１では、シャッタカーテン３２が収納動作中（巻き取り動作中）であるか否かを判定する。ここでは、シャッタカーテン３２を収納動作させる旨の信号を巻取駆動部４５に対して出力しているか否かを判定する。なお、巻取駆動部４５の駆動状態を検出するセンサが設けられていれば、そのセンサの検出信号に基づいてシャッタカーテン３２が収納動作中であるか否かを判定してもよい。また、記憶部６２に記憶されているシャッタカーテン３２の動作予定に関する情報に基づいて判定してもよく、操作装置７１への入力操作に関する情報に基づいて判定してもよい。
【００５３】
シャッタカーテン３２が収納動作中である場合、ステップＳ１２に進み、第１送風装置５１及び第２送風装置５５に送風動作を行わせる。ここでは、第１送風装置５１については外方吹出口５３から屋外側に向けて水平方向に空気を吹き出させ、下方吹出口５２からは空気を吹き出させない。この場合、第１送風装置５１の送風状態は第１吹出状態に相当する。なお、ここでの送風動作はシャッタカーテン３２の収納動作が停止するまで継続して行わせることになる。
【００５４】
シャッタカーテン３２が収納動作中でない場合、ステップＳ１３にて、シャッタカーテン３２が閉鎖状態にあるか否かを判定し、ステップＳ１４にて、サッシ戸２１が窓部１５を閉鎖した状態にあるか否かを判定する。シャッタカーテン３２が閉鎖状態にあり且つサッシ戸２１が窓部１５を閉鎖した状態にある場合、ステップＳ１５に進む。一方、シャッタカーテン３２が開放状態にある場合やサッシ戸２１が窓部１５を開放した状態にある場合、そのまま本処理を終了する。なお、ステップＳ１３において、シャッタカーテン３２の少なくとも一部が引き出された状態にあれば、シャッタカーテン３２が閉鎖状態にあると判定してもよい。
【００５５】
ステップＳ１５では、少なくとも一部のスラット３９が通気状態にあるか否かを判定する。ここでは、スラット３９の動作モードが通気モード又は防犯モードとなっているか否かを判定し、いずれかのモードとなっている場合、少なくとも一部のスラット３９が通気状態にあると判定する。なお、スラット駆動部４６の駆動状態を検出するセンサが設けられていれば、そのセンサの検出信号に基づいて少なくとも一部のスラット３９が通気状態にあるか否かを判定してもよい。
【００５６】
少なくとも一部のスラット３９が通気状態にある場合、ステップＳ１６に進み、シャッタカーテン３２の付着物の除去を行うか否かを判定する。ここでは、スラット３９が閉鎖状態から通気状態に移行してからの経過時間を計測するとともに、その経過時間が所定時間（例えば１時間）に達したか否かを判定し、達した場合に付着物の除去を行うとする。また、風量センサ６７の検出信号に基づいて屋外での風量を算出するとともに、その風量が判定値より大きいか否かを判定し、大きい場合に付着物の除去を行うと判定する。さらに、花粉センサ６８の検出信号に基づいて大気中の花粉量を算出するとともに、その花粉量が判定値より大きいか否かを判定し、大きい場合に付着物の除去を行うと判定する。加えて、人感センサ６９の検出信号に基づいて居室１２に人がいるか否かを判定し、居室１２に人がいる場合に付着物の除去を行うと判定する。
【００５７】
なお、シャッタカーテン３２の付着物の除去を行うか否かの判定基準には、環境に関する情報として、風量や花粉量の他に、外気温度、外気湿度、風向き、日射量、日射角度、紫外線量、雨量、黄砂量、粉塵量、騒音量、屋内温度、屋内湿度などが用いられてもよい。また、人に関する情報として、人の有無の他に、人の生体情報（例えば体温）、性別、年齢、嗜好、体調、花粉症等のアレルギーの有無などが用いられてもよい。環境に関する情報や人に関する情報は、それぞれの情報を検出するセンサにより検出されることや、記憶部６２に記憶されていること、操作装置７１から入力されることなどにより取得されることが好ましい。
【００５８】
付着物の除去を行う場合、ステップＳ１７に進み、第１送風装置５１に送風動作を行わせる。ここでは、第１送風装置５１の外方吹出口５３からは空気を吹き出させず、下方吹出口５２から空気を吹き出させる。この場合、第１送風装置５１の送風状態は第２吹出状態に相当する。また、シャッタカーテン３２の全てのスラット３９が通気状態にあるか否かを判定し、全てのスラット３９が通気状態にある場合（通気モードの場合）には、下方吹出口５２からシャッタ受部３８に向けて鉛直下方に空気を吹き出させる。一方、上部のスラット３９が通気状態にある場合（防犯モードの場合）には、上部の（通気状態にある）スラット３９に向けて斜め下方に空気を吹き出させる。なお、第１送風装置５１からは所定時間（例えば３分）だけ継続して空気を吹き出させる。
【００５９】
シャッタカーテン３２においていずれのスラット３９も通気状態に移行していない場合、そのまま本処理を終了する。
【００６０】
続いて、シャッタ装置３１において第１送風装置５１及び第２送風装置５５から空気が吹き出された場合の空気の流れについて、図５を参照しつつ説明する。図５は、シャッタカーテン３２周辺における空気の流れについて説明するための図である。なお、図５において窓部１５はサッシ戸２１により閉鎖された状態となっている。
【００６１】
図５（ａ）においては、シャッタカーテン３２が閉鎖状態にあり且つ全てのスラット３９が通気状態にある場合に、すなわちスラット３９の動作モードが通気モードにある場合に、第１送風装置５１の下方吹出口５２からシャッタ受部３８に向けて鉛直下方に空気が吹き出されている。鉛直下方に吹き出された空気は中間領域Ｓを通ってスラット３９間の隙間から屋外側へ流れ出る。この場合、スラット３９の表面にゴミなどの付着物が付着していれば、その付着物は吹き出された空気により吹き飛ばされ、空気とともにスラット３９間の隙間を通じて屋外へ放出される。
【００６２】
また、この場合、窓部１５がサッシ戸２１により閉鎖された状態となっているため、シャッタカーテン３２から吹き飛ばされた付着物が窓部１５を通じて居室１２に入り込むことが回避される。さらに、中間領域Ｓは、シャッタカーテン３２、サッシ戸２１、シャッタケース３３、シャッタレール３７及びシャッタ受部３８により囲まれた空間となっているため、第１送風装置５１から吹き出された空気はスラット３９間の隙間を通って屋外に放出される。したがって、中間領域Ｓが、スラット３９間の隙間の他の部分にて開放されている構成に比べて、スラット３９間の隙間を通る空気量が多くなり、スラット３９から付着物を吹き飛ばす効果が高められる。
【００６３】
しかも、下方吹出口５２から吹き出された空気により中間領域Ｓは正圧になりやすくなる。この場合、中間領域Ｓの空気はスラット３９間の隙間を通じて勢い良く屋外へ流れ出るため、その勢いにより付着物がスラット３９表面から吹き飛ばされやすくなる。
【００６４】
さらに、下方吹出口５２から鉛直下方に向けて空気が吹き出されるため、例えばシャッタカーテン３２の上部に向けて吹き出される場合に比べて、中間領域Ｓの全体に行き渡りやすくなっている。つまり、シャッタカーテン３２の全体においてスラット３９間の隙間を通じて空気が屋外側へ流出されやすくなっている。したがって、送風による付着物の除去が全てのスラット３９を対象として行われる構成が実現されている。
【００６５】
図５（ｂ）においては、シャッタカーテン３２が閉鎖状態にあり且つ上部のスラット３９が通気状態にある場合に、すなわちスラット３９の動作モードが防犯モードにある場合に、第１送風装置５１の下方吹出口５２から上部のスラット３９に向けて斜め下方に空気が吹き出されている。この場合、下方吹出口５２から吹き出された空気を通気状態にあるスラット３９に供給されやすくなるため、通気状態にあるスラット３９から付着物を吹き飛ばす効果が高められる。
【００６６】
また、中間領域Ｓのうち非通気状態となっているスラット３９が存在している空間においては、第１送風装置５１から吹き出された空気により正圧となりやすくなる。この場合、中間領域Ｓの空気はスラット３９間の隙間を通じて勢い良く屋外へ流れ出るため、その勢いにより付着物はスラット３９表面から剥がれやすくなる。したがって、非通気状態にあるスラット３９の居室１２側面に付着した付着物の除去が促進される。
【００６７】
図５（ｃ）においては、シャッタカーテン３２が収納動作中である場合に、第１送風装置５１の外方吹出口５３から屋外側へ向けて空気が吹き出されており、第２送風装置５５の内方吹出口５６から居室１２側へ向けて空気が吹き出されている。この場合、シャッタカーテン３２が巻取ドラム３４に巻き取られることによりシャッタカーテン３２に振動が加えられ、その振動によってシャッタカーテン３２から付着物が剥がれ落ちやすくなっていれば、第１送風装置５１及び第２送風装置５５からシャッタカーテン３２の表面に空気を吹き付けることにより付着物がシャッタカーテン３２から除去されやすくなる。
【００６８】
また、この場合、シャッタカーテン３２が開放状態と閉鎖状態との間で状態が移行している間は送風装置５１，５５から継続してシャッタカーテン３２に向けて空気が吹き付けられる。しかも、シャッタケース３３のカーテン出入口３５において第１送風装置５１の外方吹出口５３と第２送風装置５５の内方吹出口５６とから至近距離でシャッタカーテン３２の居室１２側面及び屋外側面に対して空気が吹き付けられる。したがって、高い空気圧でシャッタカーテン３２の全体から付着物が除去されることになる。
【００６９】
以上詳述した本実施形態によれば、以下の優れた効果が得られる。
【００７０】
閉鎖状態にあるシャッタカーテン３２と窓部１５を閉鎖した状態にあるサッシ戸２１により挟まれる中間領域Ｓに対して第１送風装置５１から空気が吹き出されるため、シャッタカーテン３２のスラット３９から付着物を吹き飛ばすことができる。したがって、スラット３９の傾斜角度が変わることでそのスラット３９に付着物が付着しやすい構成となっていても、スラット３９を付着物が付着していない状態に保つことが可能となる。つまり、スラット３９を衛生的に保つことが可能となる。これにより、窓部１５がサッシ戸２１により開放された状態にあってスラット３９が通気状態にあり、外気がスラット３９間の隙間を通じて居室１２に流れ込む場合に、外気とともにスラット３９の付着物が居室１２に流れ込むという不都合を抑制できる。この結果、スラット３９間の隙間を通じての通気を好適に行うことができる。
【００７１】
第１送風装置５１において空気の吹出元がシャッタカーテン３２の開閉状態に合わせて下方吹出口５２及び外方吹出口５３のいずれかとされる。つまり、シャッタカーテン３２において付着物を吹き飛ばす部分がシャッタカーテン３２の状態に合わせて切り替えられる。この場合、空気が吹き付けられる部分の広さや、空気の吹き付け強さなどを選択することができる。したがって、シャッタカーテン３２から付着物を効率良く吹き飛ばすことができる。
【００７２】
シャッタカーテン３２が収納動作中である場合、シャッタケース３３のカーテン出入口３５においてシャッタカーテン３２に対して第１送風装置５１及び第２送風装置５５により至近距離で空気が吹き付けられるため、付着物を吹き飛ばす効果を高めることができる。また、シャッタカーテン３２の収納動作に伴ってシャッタカーテン３２の全体に空気を吹き付けることが可能であるため、シャッタカーテン３２の全体から付着物を除去することができる。さらに、シャッタカーテン３２の屋外側面及び居室１２側面の両面に対して空気が吹き付けられるため、いずれか一方の面だけから付着物が除去される場合とは異なり、シャッタカーテン３２がシャッタケース３３において巻き取られた際に一方の面の汚れが他方の面に付着することを抑制できる。つまり、シャッタカーテン３２の両面を衛生的に保つことができる。
【００７３】
シャッタカーテン３２が収納動作していない時に第１送風装置５１から中間領域Ｓに向けて空気が吹き出される場合、窓部１５がサッシ戸２１により閉鎖された状態にあるため、吹き飛ばされた付着物が居室１２に流れ込むことを回避できる。また、この場合、シャッタカーテン３２が閉鎖状態にあり且つスラット３９が通気状態にあるため、吹き飛ばされた付着物を屋外側へ放出することができる。つまり、吹き飛ばされた付着物が中間領域Ｓにとどまることを抑制できる。
【００７４】
スラット３９の動作モードが防犯モードにある場合、シャッタカーテン３２においてシャッタケース３３近傍のスラット３９だけが通気状態にあるため、それらスラット３９は他のスラット３９に比べて通気状態にある時間が長いことなどにより付着物が付着しやすいと考えられる。これに対して、第１送風装置５１はシャッタケース３３のカーテン出入口３５周辺に設けられているため、付着物を吹き飛ばす効果を高めることができる。
【００７５】
第１送風装置５１及び第２送風装置５５から吹き出される空気によりシャッタカーテン３２から付着物が除去されるため、例えばカーテン出入口３５に設けられたブラシやローラ等によりシャッタカーテン３２から付着物が除去される構成に比べて、シャッタカーテン３２の表面に傷をつけるおそれを低減できる。また、ブラシやローラ等により付着物が除去される構成とは異なり、除去された付着物がブラシやローラ等に溜まってブラシやローラ等の付着物除去能力が低下することがなく、ブラシやローラ等を清掃するメンテナンス作業を行う必要もない。
【００７６】
なお、送風装置５１，５５からの送風により除去できない付着物は、屋外の自然風によりシャッタカーテン３２から剥がれる可能性が低いと考えられるため、ブラシやローラ等により付着物をシャッタカーテン３２から直接的に剥ぎ取らなくても、送風装置５１，５５からの送風によって付着物除去の効果を十分に得ることができる。
【００７７】
（他の実施形態）
本発明は上記実施形態の記載内容に限定されず、例えば次のように実施してもよい。
【００７８】
（１）窓部１５がサッシ戸２１により開放された状態にある場合に、第１送風装置５１や第２送風装置５５から空気が吹き出されてもよい。例えば、窓部１５がサッシ戸２１により開放された状態にある場合、屋外環境に合わせて第１送風装置５１から空気が吹き出される構成とする。例えば、コントローラ６１は、スラット３９の動作モードが通気モード又は防犯モードにある場合、屋外の風量が所定値（例えば１５ｍ／ｓ）より小さいことを条件として、第１送風装置５１から空気を吹き出させる。この場合、第１送風装置５１から吹き出される空気の風量が屋外の風量より大きくなっており、仮に雨や花粉等が中間領域Ｓに進入しないようにそれら雨や花粉等を吹き飛ばすことができる。つまり、雨や花粉等がスラット３９間の隙間を通じて居室１２内に流れ込むことを抑制できる。
【００７９】
（２）シャッタカーテン３２において全てのスラット３９が非通気状態にある場合に、第１送風装置５１や第２送風装置５５から空気が吹き出されてもよい。この場合、第１送風装置５１から吹き出された空気がシャッタカーテン３２の居室１２側面に当たることにより、その面から付着物を除去することができる。また、第２送風装置５５から吹き出された空気がシャッタカーテン３２の屋外側面に当たることにより、その面から付着物を除去することができる。
【００８０】
（３）第１送風装置５１は、下方吹出口５２及び外方吹出口５３からの空気の吹き出しが画一的に行われてもよい。また、第１送風装置５１の吹出口５２，５３、第２送風装置５５の内方吹出口５６においては、空気を吹き出す角度が任意に調整される構成としてもよい。
【００８１】
（４）第１送風装置５１は、中間領域Ｓの内部又はその周辺であればシャッタレール３７や、サッシ戸レール２２などに設けられていてもよい。つまり、中間領域Ｓに向けて側方や下方から空気を吹き付けてもよく、中間領域Ｓ内からその領域内に空気を吹き出してもよい。また、第２送風装置５５は、閉鎖状態にあるシャッタカーテン３２の外側の領域であれば、シャッタレール３７や外壁１３に設けられていてもよい。
【００８２】
（５）第１送風装置５１の下方吹出口５２や外方吹出口５３は中間領域Ｓに沿って延びていてもよい。例えば、下方吹出口５２及び外方吹出口５３が水平方向に延びている構成とする。この場合、下方吹出口５２からは鉛直下方に向けて空気が吹き出され、外方吹出口５３からは水平方向に向けて空気が吹き出される。このため、これら吹出口５２，５３から吹き出された空気はシャッタカーテン３２の全体に当たりやすくなる。同様に、第２送風装置５５の内方吹出口５６は水平方向に延びていてもよい。
【００８３】
（６）シャッタカーテン３２の表面に接触することで付着物を除去するブラシやローラ等の清掃手段が設けられていてもよい。例えば、シャッタカーテン３２の屋外側面に接触する清掃手段がシャッタケース３３のカーテン出入口３５に設けられている構成とする。
【００８４】
この構成によれば、シャッタカーテン３２の開閉動作に伴って清掃手段がシャッタカーテン３２の屋外側面から付着物を直接的に剥がし取ることになる。ここで、清掃手段により付着物が直接的に除去される構成では、清掃手段に除去された付着物が蓄積され、それによって清掃手段の付着物除去能力が低下することや、シャッタカーテン３２が収納される際に付着物が支障となることが懸念される。これに対して、シャッタカーテン３２が引き出された状態にある時に第１送風装置５１により付着物を吹き飛ばしておくことで、シャッタカーテン３２の収納時に清掃手段により直接的に除去される付着物の量を低減できる。つまり、清掃手段における付着物の蓄積量を低減させることができる。したがって、清掃手段の付着物能力が低下することや、シャッタカーテン３２の収納動作に支障が生じることを抑制できる。この結果、清掃手段から付着物を取り除くメンテナンス作業の回数や負担を低減しつつ、シャッタカーテン３２の好適なる昇降動作を維持することができる。
【００８５】
また、シャッタカーテン３２の屋外面においては、太陽光が照射されることや風雨にさらされることなどにより、屋外面に比べてゴミなどの付着物のシャッタカーテン３２に対する付着力が大きいと想定されるが、その付着物でも清掃手段により好適に除去することができる。
【００８６】
（７）窓部１５においてシャッタ受部３８には通気部が形成されていてもよい。例えば、シャッタ受部３８が網状の部材により形成されており、その網状の部材により通気部が形成されている構成とする。この構成では、窓部１５がサッシ戸２１により閉鎖された状態であり、シャッタカーテン３２が閉鎖状態にあり、さらにスラット３９が非通気状態にある場合に、第１送風装置５１から中間領域Ｓに空気が吹き出されてもよい。この場合、第１送風装置５１から吹き出された空気はシャッタ受部３８の通気部を通じて屋外側へ流れ出る。したがって、スラット３９が非通気状態にある場合でも、シャッタカーテン３２の居室１２側面から付着物を吹き飛ばしつつ、その付着物をシャッタ受部３８の通気部を通じて屋外側へ放出することができる。
【００８７】
（８）シャッタカーテン３２は水平方向にスライド移動することで開放状態及び閉鎖状態に移行する構成であってもよい。例えば、スラット３９は縦長形状となっており、水平方向に並べられている構成とする。この場合でも、第１送風装置５１から空気が吹き出されることによりシャッタカーテン３２の付着物を除去することができる。
【００８８】
（９）スラット３９は傾斜角度が可能であれば軸支されていなくてもよい。例えば、鉛直方向に立っている状態のスラット３９において上端及び下端が別々の支持部材により個別に吊り下げ支持されており、支持部材により上端を下降させること又は下端を上昇させることによりスラット３９の傾斜角度が調整される構成とする。
【符号の説明】
【００８９】
１０…建物、１３…外壁、１５…建物開口部としての窓部、２１…開閉体としてのサッシ戸、３１…シャッタ装置、３２…シャッタカーテン、３３…シャッタケース、３５…シャッタケースの出入口としてのカーテン出入口、３９…スラット、５１…除去手段及び送風装置としての第１送風装置、５２…切替手段を構成する下方吹出口、５３…切替手段を構成する外方吹出口、Ｓ…中間領域。
【図１】
2011185018.tif 000003
【図２】
2011185018.tif 000004
【図３】
2011185018.tif 000005
【図４】
2011185018.tif 000006
【図５】
2011185018.tif 000007